(57)【要約】【課題】鉄筋移送機構から受け取る鉄筋を、コンベア装置により、固定刃と可動刃に形成される鉄筋切断凹部に、スムーズに送り込めるようにする。【解決手段】鉄筋切断機の固定刃と可動刃との夫々に、鉄筋１の外周面にほぼ沿った湾曲形状の鉄筋切断凹部を鉄筋１の幅方向に複数形成し、並列状態の複数の鉄筋１を鉄筋受止台２の上方に移送する鉄筋移送機構を設け、鉄筋移送機構で移送された複数本の鉄筋１を、鉄筋受止台２の上方に突出して受け取る突出受取り状態と、受け取った鉄筋１を下降引退によって鉄筋受止台２上に受け渡す引退受渡し状態とに上下出退する受取り具１２を設け、鉄筋受止台２で受け止めた鉄筋１を鉄筋切断機に送り込み搬送するコンベア装置を設け、鉄筋１を各別に受け入れる複数の受入凹部１４を、鉄筋切断凹部の配設ピッチに合わせて受取り具１２の鉄筋受取り面に形成してある。【選択図】図３
2014217925.tif 000002
【特許請求の範囲】
【請求項１】
固定刃と、前記固定刃に対して近接操作自在な可動刃とを、前記両刃間に配置した鉄筋の長手方向に位置ずれさせて設けてある鉄筋切断機を設け、
前記固定刃と前記可動刃との夫々に、鉄筋の外周面にほぼ沿った湾曲形状の鉄筋切断凹部を、鉄筋の幅方向に複数形成し、
鉄筋の搬送方向で鉄筋切断機よりも上手側に配置して複数本の鉄筋を受け止め自在な鉄筋受止台を設け、
並列状態の複数の鉄筋を、それらの鉄筋の並列方向に沿って前記鉄筋受止台の上方に移送する鉄筋移送機構を設け、
前記鉄筋移送機構で移送された複数本の鉄筋を、前記鉄筋受止台の上方に突出して受け取る突出受取り状態と、受け取った鉄筋を下降引退によって前記鉄筋受止台上に受け渡す引退受渡し状態とに上下出退する受取り具を設け、
前記鉄筋受止台で受け止めた鉄筋を前記鉄筋切断機に送り込み搬送するコンベア装置を設けてある鉄筋切断装置であって、
鉄筋を各別に受け入れる複数の受入凹部を、前記鉄筋切断凹部の配設ピッチに合わせて前記受取り具の鉄筋受取り面に形成してある鉄筋切断装置。
【請求項２】
前記受取り具の鉄筋受取り面を、鉄筋並列方向の中間部ほど高い山形に形成してある請求項１に記載の鉄筋切断装置。
【請求項３】
前記受取り具を、前記鉄筋受止台における長手方向の複数箇所に配設してある請求項１又は２に記載の鉄筋切断装置。
【請求項４】
前記コンベア装置を駆動回転自在なロールコンベアから構成し、
前記ロールコンベアの周方向に沿った第１鉄筋受入溝を、前記ロールコンベアの軸心方向に複数形成すると共に、複数の前記第１鉄筋受入溝の配設ピッチを、前記鉄筋切断凹部の配設ピッチに合わせてある請求項１〜３のいずれか１項に記載の鉄筋切断装置。
【請求項５】
前記鉄筋受止台の受止面部に、複数の第２鉄筋受入溝を形成し、
複数の前記第２鉄筋受入溝の配設ピッチを、前記鉄筋切断凹部の配設ピッチに合わせてある請求項１〜４のいずれか１項に記載の鉄筋切断装置。
【請求項６】
前記鉄筋切断機において、前記固定刃と前記可動刃の下手側に、切断鉄筋の端材を鉄筋の幅方向下方に放出案内するシュートを設け、
前記シュートを放出側端部に近くなるほど下方に傾斜する放出姿勢と、放出側端部を前記固定刃の刃先と平行になる上昇姿勢とに上下揺動自在に取り付け、
前記シュートの上昇姿勢において鉄筋の先端部を前記固定刃よりも下手側で突き当てるストッパー部を、前記シュートに形成してある請求項１〜５のいずれか１項に記載の鉄筋切断装置。
【請求項７】
前記可動刃による切断操作前に、前記シュートを放出姿勢に下降搖動操作する操作装置を設けてある請求項６に記載の鉄筋切断装置。
【発明の詳細な説明】
【技術分野】
【０００１】
本発明は、固定刃と、前記固定刃に対して近接操作自在な可動刃とを、前記両刃間に配置した鉄筋の長手方向に位置ずれさせて設けてある鉄筋切断機を設け、前記固定刃と前記可動刃との夫々に、前記鉄筋の外周面にほぼ沿った湾曲形状の鉄筋切断凹部を、前記鉄筋の幅方向に複数形成し、鉄筋の搬送方向で鉄筋切断機よりも上手側に配置して複数本の鉄筋を受け止め自在な鉄筋受止台を設け、並列状態の複数の鉄筋を、それらの鉄筋の並列方向に沿って前記鉄筋受止台の上方に移送する鉄筋移送機構を設け、前記鉄筋移送機構で移送された複数本の鉄筋を、前記鉄筋受止台の上方に突出して受け取る突出受取り状態と、受け取った鉄筋を下降引退によって前記鉄筋受止台上に受け渡す引退受渡し状態とに上下出退する受取り具を設け、前記鉄筋受止台で受け止めた鉄筋を前記鉄筋切断機に送り込み搬送するコンベア装置を設けてある鉄筋切断装置に関する。
【背景技術】
【０００２】
従来、前記受取り具の鉄筋受取り面は、平坦な面に形成してあった（周知技術で適当な公報が見当たらない）。
【発明の概要】
【発明が解決しようとする課題】
【０００３】
上述した従来の鉄筋切断装置では、鉄筋を切断する際に、切断断面形状が変形少なく綺麗になるように、前記固定刃と前記可動刃との夫々に、前記鉄筋の外周面にほぼ沿った湾曲形状の鉄筋切断凹部を、前記鉄筋の幅方向に複数形成することによって、夫々の鉄筋切断凹部の内周面を鉄筋の周面に対して略均等に剪断力を作用させて、鉄筋の断面形状の変形を抑えながら切断できる。
しかし、受取り具で複数本の鉄筋を受け取った後に、受取り具の下降引退によって、受け取った鉄筋をコンベア装置により鉄筋切断機に送り込むと、受取り具の鉄筋受取り面が平坦なために、複数本の鉄筋間の間隔が一定に定まらず、コンベア装置により送られる鉄筋が、その搬送により鉄筋切断機の固定刃と可動刃との両刃夫々に形成した鉄筋切断凹部とは異なった位置にくることがある。そのために、鉄筋が固定刃と可動刃とにより綺麗な断面形状に切断されず、しかも前記両刃が痛むことがある。
【０００４】
従って、本発明の目的は、上記問題点を解消し、鉄筋移送機構から受け取る鉄筋を、コンベア装置により、固定刃と可動刃に形成される鉄筋切断凹部に、スムーズに送り込めるようにするところにある。
【課題を解決するための手段】
【０００５】
本発明の第１の特徴構成は、固定刃と、前記固定刃に対して近接操作自在な可動刃とを、前記両刃間に配置した鉄筋の長手方向に位置ずれさせて設けてある鉄筋切断機を設け、前記固定刃と前記可動刃との夫々に、前記鉄筋の外周面にほぼ沿った湾曲形状の鉄筋切断凹部を、前記鉄筋の幅方向に複数形成し、鉄筋の搬送方向で鉄筋切断機よりも上手側に配置して複数本の鉄筋を受け止め自在な鉄筋受止台を設け、並列状態の複数の鉄筋を、それらの鉄筋の並列方向に沿って前記鉄筋受止台の上方に移送する鉄筋移送機構を設け、前記鉄筋移送機構で移送された複数本の鉄筋を、前記鉄筋受止台の上方に突出して受け取る突出受取り状態と、受け取った鉄筋を下降引退によって前記鉄筋受止台上に受け渡す引退受渡し状態とに上下出退する受取り具を設け、前記鉄筋受止台で受け止めた鉄筋を前記鉄筋切断機に送り込み搬送するコンベア装置を設けてある鉄筋切断装置であって、鉄筋を各別に受け入れる複数の受入凹部を、前記鉄筋切断凹部の配設ピッチに合わせて前記受取り具の鉄筋受取り面に形成したところにある。
【０００６】
本発明の第１の特徴構成によれば、前記受取り具の鉄筋受取り面に、鉄筋を各別に受け入れる複数の受入凹部を、前記鉄筋切断凹部の配設ピッチに合わせて形成してあることにより、受取り具を鉄筋受止台の上方に突出させて鉄筋を受け取る際に、複数本の鉄筋が複数の受入凹部に各別に受け入れられ、その状態で、各鉄筋は、受取り具の下降引退によって鉄筋受止台上に受け渡され、その後、コンベア装置により鉄筋切断機の鉄筋切断凹部に移送される。
従って、複数の鉄筋を確実に固定刃と可動刃の受入凹部によって切断され、切断断面の変形の少ない鉄筋を提供できる。
【０００７】
本発明の第２の特徴構成は、前記受取り具の鉄筋受取り面を、鉄筋並列方向の中間部ほど高い山形に形成したところにある。
【０００８】
本発明の第２の特徴構成によれば、本発明の第１の特徴構成による上述の作用効果を叶えることができるのに加えて、鉄筋受止台の上方に鉄筋移送機構により移送される複数の鉄筋が、受取り具によって受け止められる際に、鉄筋並列方向の中間部ほど高い山形に形成された受取り具の鉄筋受取り面の上を、転がるか又は滑りながら両側に分散して移動し、その時に各鉄筋が複数の受入凹部内に個別に収まる。
従って、受取り具の鉄筋受取り面が水平面であるのに比べて、複数の鉄筋が複数の複数の受入凹部に自動的に分散しながら収まりやすく、鉄筋切断機の鉄筋切断凹部によって複数の鉄筋夫々を綺麗に切断できるようになる。
【０００９】
本発明の第３の特徴構成は、前記受取り具を、前記鉄筋受止台における長手方向の複数箇所に配設したところにある。
【００１０】
本発明の第３の特徴構成によれば、前記鉄筋受止台における長手方向の複数箇所に配設した受取り具により、長尺の鉄筋であっても全長に亘って安定して鉄筋切断機に送り込みすることができる。
【００１１】
本発明の第４の特徴構成は、前記コンベア装置を駆動回転自在なロールコンベアから構成し、前記ロールコンベアの周方向に沿った第１鉄筋受入溝を、前記ロールコンベアの軸心方向に複数形成すると共に、複数の前記第１鉄筋受入溝の配設ピッチを、前記鉄筋切断凹部の配設ピッチに合わせたところにある。
【００１２】
本発明の第４の特徴構成によれば、ロールコンベアから構成されたコンベア装置により鉄筋切断機に移送される複数の鉄筋は、そのロールコンベアに形成された第１鉄筋受入溝内に夫々が嵌りながら搬送される。また、複数の前記第１鉄筋受入溝の配設ピッチを、前記鉄筋切断凹部の配設ピッチに合わせてあるために、第１鉄筋受入溝に嵌りこんだ各鉄筋は、鉄筋切断凹部内に移送されやすくなる。
【００１３】
本発明の第５の特徴構成は、前記鉄筋受止台の受止面部に、複数の第２鉄筋受入溝を形成し、複数の前記第２鉄筋受入溝の配設ピッチを、前記鉄筋切断凹部の配設ピッチに合わせたところにある。
【００１４】
本発明の第５の特徴構成によれば、複数の鉄筋は、鉄筋受止台においても第２鉄筋受入溝１６にガイドされて、より安定して鉄筋切断凹部に移送されやすくなる。
【００１５】
本発明の第６の特徴構成は、前記鉄筋切断機において、前記固定刃と前記可動刃の下手側に、切断鉄筋の端材を鉄筋の幅方向下方に放出案内するシュートを設け、前記シュートを放出側端部に近くなるほど下方に傾斜する放出姿勢と、放出側端部を前記固定刃の刃先と平行になる上昇姿勢とに上下揺動自在に取り付け、前記シュートの上昇姿勢において鉄筋の先端部を前記固定刃よりも下手側で突き当てるストッパー部を、前記シュートに形成したところにある。
【００１６】
本発明の第６の特徴構成によれば、コンベア装置によって送り込み搬送される複数の鉄筋は、その先端部が鉄筋切断機に設けられたシュートのストッパー部に突き当てられて位置決めされるために、切断長さがそろった状態で切断できるようになる。しかも、鉄筋切断後は、シュートが上昇姿勢から下方に傾斜する放出姿勢に搖動することにより、端材は下方に放出案内され、端材の回収を容易にできる。
【００１７】
本発明の第７の特徴構成は、前記可動刃による切断操作前に、前記シュートを放出姿勢に下降搖動操作する操作装置を設けたところにある。
【００１８】
本発明の第７の特徴構成によれば、操作装置により可動刃による切断操作前に下降搖動操作されるシュートは、ストッパー部も鉄筋の移動経路から退避するために、可動刃により切断された鉄筋の端材の受入放出を、確実に行えるようになる。
【図面の簡単な説明】
【００１９】
【図１】鉄筋加工設備の全体平面図である。
【図２】鉄筋搬送装置の正面図である。
【図３】コンベア装置の斜視図である。
【図４】コンベア装置の一部縦断正面図である。
【図５】コンベア装置の一部縦断正面図である。
【図６】コンベア装置の一部縦断正面図である。
【図７】コンベア装置の一部縦断正面図である。
【図８】鉄筋切断機の正面図である。
【図９】鉄筋切断機の一部縦断側面図である。
【図１０】鉄筋切断機の要部の一部縦断正面図である。
【図１１】鉄筋切断機の一部縦断側面図である。
【図１２】鉄筋切断機の要部の一部縦断正面図である。
【図１３】鉄筋切断機における切断部の斜視説明図である。
【発明を実施するための形態】
【００２０】
以下に本発明の実施の形態を図面に基づいて説明する。
図１に示すように、丸鉄筋や異径鉄筋などの鉄筋１を搬送する鉄筋搬送装置Ｔと、鉄筋搬送装置Ｔによって搬送される１本〜複数本の鉄筋１を鉄筋受止台２で受け止めて所定の寸法に鉄筋切断機３によって切断する鉄筋切断装置Ｃとを設けて、鉄筋加工設備を構成してある。
【００２１】
図２に示すように、前記鉄筋搬送装置Ｔは、設備基台上に、鉄筋１をその幅方向に沿って横搬送する搬送機構Ｔ１と、迫り上げ搬送装置Ｔ２と、整列装置Ｔ３とを鉄筋１の搬送方向に沿った順番となるように取り付けて構成してある。
従って、鉄筋搬送装置Ｔは、平面視においては、細長形状で、長手方向に沿って鉄筋群Ｇが載置され、その鉄筋群Ｇは、径方向に沿って移動搬送される。即ち、鉄筋群Ｇの搬送経路は、鉄筋搬送装置Ｔの平面視における幅方向の一端（搬送機構Ｔ１）側から他端（整列装置Ｔ３）側にかけて設定されている。
【００２２】
前記搬送機構Ｔ１は、並列状態の複数の鉄筋１からなる鉄筋群Ｇを、鉄筋１の幅方向に沿って搬送するチェーンコンベア４を設けてある。
前記チェーンコンベア４は、搬送方向に順に鉄筋群Ｇの束を受ける第１チェーンコンベア４Ａと、第１チェーンコンベア４Ａで受けた鉄筋群Ｇを引き継いで搬送する第２チェーンコンベア４Ｂと、搬送経路の後部において鉄筋群Ｇを更にその幅方向に搬送する第３チェーンコンベア４Ｃとを、個別に駆動操作自在に設けて構成してある。
また、チェーンコンベア４Ａ、４Ｂ、４Ｃには、夫々個別に回転駆動する駆動モータＭを設けてある。
【００２３】
前記迫り上げ搬送装置Ｔ２は、搬送経路の終端部において鉄筋１を一本ずつ下手側の整列装置Ｔ３に対して迫り上げて搬送するように構成してあり、鉄筋１の迫り上げ搬送時に鉄筋１を迫り上げ斜面に沿ってガイドするガイド部５を、上下方向に階段状に形成して、複数の鉄筋載置部１３をそのガイド部５に形成し、固定側の装置本体６に設けてある。
【００２４】
前記整列装置Ｔ３は、迫り上げ搬送装置Ｔ２から１本ずつ受け渡された鉄筋１を、設定本数整列した段階で、並列状態で複数本まとめて搬送方向下手側の鉄筋受止台２の上方で、鉄筋１の幅方向へ出退する受渡しアーム１１を備えて、鉄筋移送機構を構成するものである。
【００２５】
図３〜図１３に示すように、前記鉄筋切断装置Ｃは、固定刃７と、固定刃７に対して近接操作自在な可動刃８とを、両刃間に配置した鉄筋１の長手方向に位置ずれさせて設けてある鉄筋切断機３を設け、鉄筋移送機構で移送された複数本の鉄筋１を、鉄筋受止台２の上方に突出して受け取る突出受取り状態と、受け取った鉄筋１を下降引退によって鉄筋受止台２上に受け渡す引退受渡し状態とに上下出退する鉄製板状の受取り具１２を設け、鉄筋受止台２で受け止めた鉄筋１を鉄筋切断機３に送り込み搬送するコンベア装置を設けて構成してある。
前記固定刃７と可動刃８との夫々に、鉄筋１の外周面にほぼ沿った湾曲形状の鉄筋切断凹部９を、鉄筋１の幅方向に複数形成することで、夫々の鉄筋切断凹部９の内周面を鉄筋１の周面に対して略均等に剪断力を作用させて、鉄筋１の断面形状の変形を抑えながら切断できるように構成してある（図１１、図１３）。
【００２６】
図３〜図７に示すように、前記受取り具１２の鉄筋受取り面は、鉄筋並列方向の中間部ほど高い山形に形成し、鉄筋１を各別に受け入れる複数の受入凹部１４を、鉄筋切断凹部９の配設ピッチに合わせて形成してある。
また、受取り具１２は、鉄筋受止台２における長手方向の複数箇所に配設してあり、並設する複数の受取り具１２間に、駆動回転するロールコンベア１０を設けてコンベア装置を構成してある。
前記ロールコンベア１０の周方向に沿った第１鉄筋受入溝１５を、ロールコンベア１０の軸心方向に複数形成すると共に、複数の第１鉄筋受入溝１５の配設ピッチを、図１３に示すように、鉄筋切断凹部９の配設ピッチに合わせてあり、鉄筋切断機３の手前の鉄筋受止台２の受止面部にも、複数の第２鉄筋受入溝１６を形成し、複数の第２鉄筋受入溝１６の配設ピッチを、鉄筋切断凹部９の配設ピッチに合わせてある。
【００２７】
図８〜図１３に示すように、前記鉄筋切断機３には、固定刃７と可動刃８の下手側に、切断鉄筋の端材を鉄筋１の幅方向下方に放出案内する鉄製のシュート１７を設け、シュート１７を放出側端部に近くなるほど下方に傾斜する放出姿勢（図１１、図１２）と、放出側端部を固定刃７の刃先と平行になる上昇姿勢（図９、図１０）とに上下揺動自在に取り付け、シュート１７の上昇姿勢において鉄筋１の先端部を固定刃７よりも下手側で突き当てるストッパー部１８を、シュート１７に形成してあり、可動刃８による切断操作前に、シュート１７を放出姿勢に下降搖動操作する空気圧等の流体圧シリンダーからなる操作装置１９を設けてある。  
前記シュート１７に設けたストッパー部１８には、シュート本体２０に着脱自在なストッパー部材２１が設けてある（図１０、図１２）。
【００２８】
シュート本体２０には、鉄筋切断機３の奥側に引張り付勢してあるスプリング２２を連結してあり、下降搖動操作時に手前にズリ落ちるのを防止してある。また、下降搖動操作時に、シュート本体２０の手前へのズリ落ちを更に防止すべく、シュート本体２０の下面部に、設けた係止ピン２３が係入する凹部２４を設けた係止支持部材２５を鉄筋切断機３の本体側に設けてある（図９、図１１）。
【００２９】
〔別実施形態〕
以下に他の実施の形態を説明する。
〈１〉  前記受取り具１２の鉄筋受取り面は、鉄筋並列方向の中間部ほど高い山形に形成する以外に、略水平面に沿った形状であってもよいが、幅方向の一端側が他端側よりも高い傾斜面になっていて、その高い一端側に受け渡しアームによる複数本の鉄筋１の供給が行われるようになっていてもよく、この場合も、供給される複数の鉄筋１が、受取り具１２の一端側から他端側に転がり移動するに伴って、複数の受入凹部１４に順次嵌入させることができる。
〈２〉  前記ストッパー部材２１は、鉄筋１長手方向の厚みの異なるものと取り替えることで、鉄筋１の先端部の端揃えするための長さを、変更できるように構成してあってもよい。
〈３〉  上下搖動自在な前記シュート１７を設けるのに、前述の鉄筋切断装置Ｃに設ける以外に、次のような別形態の鉄筋切断装置に設ける例も考えられる。つまり、前記鉄筋切断装置は、固定刃と、固定刃に対して近接操作自在な可動刃とを、両刃間に配置した鉄筋の長手方向に位置ずれさせて設けてある鉄筋切断機を設け、鉄筋移送機構で移送された複数本の鉄筋を、鉄筋受止台の上方に突出して受け取る突出受取り状態と、受け取った鉄筋を下降引退によって鉄筋受止台上に受け渡す引退受渡し状態とに上下出退する鉄製板状の受取り具を設け、鉄筋受止台で受け止めた鉄筋を鉄筋切断機に送り込み搬送するコンベア装置を設けて構成してある。
前記固定刃と可動刃との夫々の刃先は、平滑な平面に形成してある。前記受取り具の鉄筋受取り面は、平滑な水平面に形成し、また、受取り具は、鉄筋受止台における長手方向の複数箇所に配設してあり、並設する複数の受取り具間に、駆動回転するロールコンベアを設けてコンベア装置を構成してある。
前記鉄筋切断機には、固定刃と可動刃の下手側に、切断鉄筋の端材を鉄筋の幅方向下方に放出案内する鉄製のシュートを設け、シュートを放出側端部に近くなるほど下方に傾斜する放出姿勢と、放出側端部を固定刃の刃先と平行になる上昇姿勢とに上下揺動自在に取り付け、シュートの上昇姿勢において鉄筋の先端部を固定刃よりも下手側で突き当てるストッパー部を、シュートに形成してあり、可動刃による切断操作前に、シュートを放出姿勢に下降搖動操作する空気圧等の流体圧シリンダーからなる操作装置を設けてある。  
前記シュートに設けたストッパー部には、シュート本体に着脱自在なストッパー部材が設けてある。シュート本体には、鉄筋切断機の奥側に引張り付勢してあるスプリングを連結してあり、下降搖動操作時に手前にズリ落ちるのを防止してある。また、下降搖動操作時に、シュート本体の手前へのズリ落ちを更に防止すべく、シュート本体の下面部に、設けた係止ピンが係入する凹部を設けた係止支持部材を鉄筋切断機の本体側に設けてある。
【００３０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３１】
２      鉄筋受止台
３      鉄筋切断機
７      固定刃
８      可動刃
９      鉄筋切断凹部
１０    ロールコンベア
１２    受取り具
１４    受入凹部
１５    第１鉄筋受入溝
１６    第２鉄筋受入溝
１７    シュート
１８    ストッパー部
１９    操作装置
【図１】
2014217925.tif 000003
【図２】
2014217925.tif 000004
【図３】
2014217925.tif 000005
【図４】
2014217925.tif 000006
【図５】
2014217925.tif 000007
【図６】
2014217925.tif 000008
【図７】
2014217925.tif 000009
【図８】
2014217925.tif 000010
【図９】
2014217925.tif 000011
【図１０】
2014217925.tif 000012
【図１１】
2014217925.tif 000013
【図１２】
2014217925.tif 000014
【図１３】
2014217925.tif 000015